(57)【要約】【課題】  運転モードの変更権限があるユーザに対しては、省エネルギー運転モードへの移行、省エネルギーモードの解除の操作を容易に行わせ、変更権限を有しないユーザに対しては操作を確実に禁止する。【解決手段】  複数の室外機１６Ａ、１６Ｂ及び複数の室内機１７、１８、１９を備え、運転モードとして通常運転モード及び省エネルギーを行うための省エネルギー運転モードを備えた空気調和システム１０において、通常運転モード及び省エネルギー運転モードの相互間での移行を指示するための動作モード変更操作子と、各種情報を表示装置を有するリモートコントローラ２１、２３を備え、リモートコントローラ２１、２３の設定操作により、動作モード変更操作子の操作による通常運転モード及び前記省エネルギー運転モードの相互間での移行を禁止し、あるいは、許可する。【選択図】      図１
2006125691.tif 000002
【特許請求の範囲】
【請求項１】
複数の室外機及び複数の室内機を備え、運転モードとして通常運転モード及び省エネルギーを行うための省エネルギー運転モードを備えた空気調和システムにおいて、
前記通常運転モード及び前記省エネルギー運転モードの相互間での移行を指示するための動作モード変更操作子と、各種情報を表示装置を有するリモートコントローラを備え、
前記リモートコントローラの設定操作により、前記動作モード変更操作子の操作による前記通常運転モード及び前記省エネルギー運転モードの相互間での移行を禁止し、あるいは、許可する運転モード移行制御部を備えたことを特徴とする空気調和システム。
【請求項２】
請求項１記載の空気調和システムにおいて、
前記リモートコントローラの設定操作により、前記通常運転モードあるいは前記省エネルギー運転モードのいずれか一方に、運転モードを固定する運転モード固定制御部を備えたことを特徴とする空気調和システム。
【請求項３】
請求項１または請求項２記載の空気調和システムにおいて、
前記リモートコントローラの表示装置は、前記運転モードが前記省エネルギー運転モードである旨を表示可能であるとともに、
前記リモートコントローラの設定操作により、前記表示装置への前記省エネルギー運転モードである旨の表示を禁止する表示禁止部を備えたことを特徴とする空気調和システム。
【請求項４】
請求項１ないし請求項３のいずれかに記載の空気調和システムにおいて、
前記リモートコントローラが複数設けられ、
いずれかのリモートコントローラの設定操作により、前記複数のリモートコントローラのそれぞれを、前記動作モード変更操作子による前記通常運転モード及び前記省エネルギー運転モードの相互間での移行を禁止されたリモートコントローラと、前記動作モード変更操作子による前記通常運転モード及び前記省エネルギー運転モードの相互間での移行が許可されたリモートコントローラとに、設定することが可能とされていることを特徴とする空気調和システム。
【請求項５】
請求項１ないし請求項４のいずれかに記載の空気調和システムにおいて、
前記省エネルギー運転モードは、前記リモートコントローラの設定操作に対応する前記室内機及び前記室外機により実現されることを特徴とする空気調和システム。
【請求項６】
複数の室外機及び複数の室内機を備え、運転モードとして通常運転モード及び省エネルギーを行うための省エネルギー運転モードを備えた空気調和システムの制御方法において、
前記通常運転モード及び前記省エネルギー運転モードの相互間での移行を指示するための動作モード変更過程と、
前記通常運転モード及び前記省エネルギー運転モードの相互間での移行を禁止し、あるいは、許可する運転モード移行制御過程と、
備えたことを特徴とする空気調和システムの制御方法。
【請求項７】
請求項６記載の空気調和システムの制御方法において、
外部からの指示に伴い、前記通常運転モードあるいは前記省エネルギー運転モードのいずれか一方に、運転モードを固定する運転モード固定制御過程を備えたことを特徴とする空気調和システムの制御方法。
【請求項８】
請求項６または請求項７記載の空気調和システムの制御方法において、
前記リモートコントローラの表示装置は、前記運転モードが前記省エネルギー運転モードである旨を表示可能であるとともに、
外部からの指示に伴い、前記表示装置への前記省エネルギー運転モードである旨の表示を禁止する表示禁止過程を備えたことを特徴とする空気調和システムの制御方法。
【発明の詳細な説明】
【技術分野】
【０００１】
本発明は、室外機及び複数の室内機を備えた空気調和装置を集中管理するとともに、運転モードとして通常運転モードと、省エネルギーモードと、を備えた空気調和システムおよびその制御方法に関する。
【背景技術】
【０００２】
近年、店舗などの設備においてランニングコスト低減に対する関心が高くなっており、ビル等に装備される空気調和システムもその例外ではない。
このため、空気調和システムにおける、電力消費量及びガス消費量についても抑制することが求められている。
これを解決するために、従来の空気調和システムにおいては、運転モードとして省エネ運転モードを備えたものが提案されている（例えば、特許文献１参照）。
【０００３】
このような省エネ運転モードを備えた空気調和システムにおいては、省エネ運転モードへの移行あるいは省エネ運転モードから通常運転モードへの移行を行う場合の設定は、設置者側で行うようにされており、リモートコントローラなどの室内側の装置において利用者側（例えば、店舗）で設定できるように構成されていなかった。
従って、省エネ運転モードで運転を行いたい場合や、省エネ運転モードを解除したい場合には、サービスコールを行ってサービスマンを呼び出し、サービスマンが省エネ運転モードに設定したり、省エネ運転モードを解除するようになっていた。
【特許文献１】特開２０００−９７４７３号公報
【発明の開示】
【発明が解決しようとする課題】
【０００４】
以上のような構成を採った場合には、省エネ運転モードで運転を行っている場合は、一律にエネルギー消費量を抑制することとなるため、例えば、店舗内の収容人数が少ないうちは問題がないが、収容人数が増加した場合に、能力（冷房能力あるいは暖房能力）不足に陥ることがある。
この場合には、省エネ運転モードへの移行および解除を店舗内の様子を見ながら、判断し操作できることが望まれる。
【０００５】
しかしながら、誰でも操作可能な構成とすると、勝手に操作がなされて、省エネ運転モードが解除されるなど、省エネルギーの実効と、空気調和システムの能力との調和が図れないという新たな問題点が生じることとなる。
そこで、本発明の目的は、運転モードの変更権限があるユーザに対しては、省エネルギー運転モードへの移行、省エネルギーモードの解除の操作を容易に行わせることができるともに、運転モードの変更権限を有しないユーザに対しては操作を確実に禁止することが可能な空気調和システム及びその制御方法を提供することにある。
【課題を解決するための手段】
【０００６】
上記課題を解決するため、複数の室外機及び複数の室内機を備え、運転モードとして通常運転モード及び省エネルギーを行うための省エネルギー運転モードを備えた空気調和システムにおいて、前記通常運転モード及び前記省エネルギー運転モードの相互間での移行を指示するための動作モード変更操作子と、各種情報を表示装置を有するリモートコントローラを備え、前記リモートコントローラの設定操作により、前記動作モード変更操作子の操作による前記通常運転モード及び前記省エネルギー運転モードの相互間での移行を禁止し、あるいは、許可する運転モード移行制御部を備えたことを特徴としている。
上記構成によれば、動作モード変更操作子により、ユーザが前記通常運転モード及び前記省エネルギー運転モードの相互間での移行を指示する。
一方、運転モード移行制御部は、リモートコントローラの設定操作により、動作モード変更操作子の操作による通常運転モード及び省エネルギー運転モードの相互間での移行を禁止し、あるいは、許可する。
【０００７】
この場合において、前記リモートコントローラの設定操作により、前記通常運転モードあるいは前記省エネルギー運転モードのいずれか一方に、運転モードを固定する運転モード固定制御部を備えるようにしてもよい。
また、前記リモートコントローラの表示装置は、前記運転モードが前記省エネルギー運転モードである旨を表示可能であるとともに、前記リモートコントローラの設定操作により、前記表示装置への前記省エネルギー運転モードである旨の表示を禁止する表示禁止部を備えるようにしてもよい。
【０００８】
さらに、前記リモートコントローラが複数設けられ、いずれかのリモートコントローラの設定操作により、前記複数のリモートコントローラのそれぞれを、前記動作モード変更操作子による前記通常運転モード及び前記省エネルギー運転モードの相互間での移行を禁止されたリモートコントローラと、前記動作モード変更操作子による前記通常運転モード及び前記省エネルギー運転モードの相互間での移行が許可されたリモートコントローラとに、設定することが可能とされているようにしてもよい。
さらにまた、前記省エネルギー運転モードは、前記リモートコントローラの設定操作に対応する前記室内機及び前記室外機により実現されるようにしてもよい。
【０００９】
また、複数の室外機及び複数の室内機を備え、運転モードとして通常運転モード及び省エネルギーを行うための省エネルギー運転モードを備えた空気調和システムの制御方法において、前記通常運転モード及び前記省エネルギー運転モードの相互間での移行を指示するための動作モード変更過程と、前記通常運転モード及び前記省エネルギー運転モードの相互間での移行を禁止し、あるいは、許可する運転モード移行制御過程と、備えたことを特徴としている。
【００１０】
この場合において、外部からの指示に伴い、前記通常運転モードあるいは前記省エネルギー運転モードのいずれか一方に、運転モードを固定する運転モード固定制御過程を備えるようにしてもよい。
また、前記リモートコントローラの表示装置は、前記運転モードが前記省エネルギー運転モードである旨を表示可能であるとともに、外部からの指示に伴い、前記表示装置への前記省エネルギー運転モードである旨の表示を禁止する表示禁止過程を備えるようにしてもよい。
【発明の効果】
【００１１】
本発明によれば、運転モードの変更権限があるユーザに対しては、省エネルギー運転モードへの移行、省エネルギーモードの解除の操作を容易に行わせることができるともに、運転モードの変更権限を有しないユーザに対しては操作を確実に禁止することが可能となる。
【発明を実施するための最良の形態】
【００１２】
次に本発明の好適な実施の形態について図面を参照して説明する。
図１は、実施形態の空気調和システムの系統図である。
空気調和システム１０は、室外機１６Ａ及び室外機１６Ｂに、３台の室内機１７、１８、１９が図示しない冷媒配管（不図示）によって連結されて構成されるＷマルチタイプの空気調和装置として構成されている。
また、空気調和システム１０は、集中制御を行うコントローラ１５を有し、通信線２０を介して、室外機１６Ａ、１６Ｂ及び室内機１７、１８、１９に接続されている。
【００１３】
さらに室内機１７及び室内機１８には、通信線２２を介してリモートコントロール装置（以下、リモコンという。）２１が接続されている。
リモコン２１は、省エネルギーモードの設定／解除情報を含む各種情報を表示する表示部２１Ａと、省エネルギーモードボタンを含み、各種操作をユーザが行うための操作部２１Ｂと、を備えている。
さらにまた室内機１９は、通信線２４を介してリモコン２３が接続されている。
リモコン２３は、省エネルギーモードの設定／解除情報を含む各種情報を表示する表示部２３Ａと、省エネルギーモードボタンを含み、各種操作をユーザが行うための操作部２３Ｂと、を備えている。
【００１４】
ここで、リモコンにおける省エネ機能について説明する。
まず、リモコンの外観構成について説明する。
図２にリモコンの外観正面図を示す。
リモコン２１およびリモコン２３は、同一構成であるので、図２においては、リモコン２１を例として説明する。
リモコン２１の表示部２１Ａには、通常運転時には現在時刻を表示し、点検時あるいは各種設定時には各種データあるいは設定データを表示する７セグメント表示部を有するデータ表示部３１と、現在の制御状態を表示する状態表示部３２と、運転モード（冷暖自動運転モード、暖房モード、ドライモード、冷房モード、送風モード）を表示する運転モード表示部３３と、室温、設定温度、省エネルギー運転モードか否かあるいは可変的な情報を表示する可変情報表示部３４と、を備えている。
【００１５】
リモコン２１の操作部２１Ｂには、省エネルギー運転モード／通常運転モードの切替を行う省エネボタン４１と、フィルタの昇降あるいはフィルタ目詰まり警告をリセットするための操作を行うフィルタ操作ボタン部４２と、点検モードに移行させるための点検ボタン４３と、換気を行わせるための換気ボタン４４と、各種タイマ設定を行うためのタイマ設定ボタン部４５と、風速切換（自動、急、強、弱）を行うための風速切換ボタン４６と、リモート制御対象のユニット（室内機）を選択したり、選択したリモート制御対象のユニットの風向を設定するためのユニット制御ボタン部４７と、運転モードを切り換えるための運転切換ボタン４８と、通常時には温度設定を行うとともに、フィルタ昇降時には昇降方向を設定する温度／昇降方向設定ボタン部４９と、運転／停止を指示するための運転／停止指示ボタン５０と、を備えている。
【００１６】
次に省エネルギー運転モードに関連するリモコン２１、２３の設定状態について説明する。
設定状態には、省エネボタン操作禁止設定（優先リモコン設定）、運転モード固定設定、表示禁止設定がある。
省エネボタン操作禁止設定は、リモコン２１、２３の省エネボタン４１の操作を禁止する設定である。省エネボタン操作禁止設定がなされると、リモコン２１、２３の省エネボタン４１を操作しても、運転モードの変更を行うことができない。
これに伴い、複数のリモコンが存在する場合には、省エネボタン操作禁止設定がなされたリモコン以外のリモコンは、当該省エネボタン操作禁止設定がなされたリモコンにその操作が優先される優先リモコン設定状態となる。
【００１７】
運転モード固定設定は、運転モードを省エネルギー運転モードあるいは通常運転モードのいずれかに固定したり、さらに同一冷媒系統であれば、リモコンからの運転モードの切換を禁止することも可能となっている。
表示禁止設定は、省エネルギー運転モード中であっても、リモコン２１、２３の表示部２１Ａ、２３Ａに省エネルギー運転モードである旨を表示させないようにするものである。
これらの操作禁止設定（優先リモコン設定）、運転モード固定設定、表示禁止設定は、室内機のＥＥＰＲＯＭ（不揮発性メモリ）１７Ａ、１８Ａ、１９Ａに格納される。
【００１８】
この場合に、ＥＥＰＲＯＭ１７Ａ、１８Ａ、１９Ａには、項目コードデータと、この項目コードデータに対応する設定データの組が格納されることとなる。
実際の項目コードには、例えば、項目コード＝Ｘ１、Ｘ２、Ｘ３の３種類有る。
項目コード＝Ｘ１は、省エネボタン４１の操作許可設定の項目コードである。項目コード＝Ｘ１に対応する設定データは以下の二通りである。
項目コード＝Ｘ１、設定データ＝０：省エネボタン操作禁止
設定データ＝１：省エネボタン操作許可（初期設定）
【００１９】
項目コード＝Ｘ２は、省エネルギー運転モード固定の項目コードである。項目コード＝Ｘ２に対応する設定データは以下の三通りである。
項目コード＝Ｘ２、設定データ＝０：省エネルギー運転モード固定なし（初期設定）
すなわち、ユーザ設定による
設定データ＝１：省エネルギー運転モードに固定
設定データ＝２：通常運転モードに固定
【００２０】
項目コード＝Ｘ３は、表示禁止に係る項目コードである。項目コード＝Ｘ３に対応する設定データは以下の二通りである。
項目コード＝Ｘ３、設定データ＝０：省エネ表示なし
設定データ＝１：省エネ表示あり（初期設定）
【００２１】
これらの設定は、実際には、リモコンの詳細設定モードから行うようになっている。
設定動作の具体例について説明する。
図３はリモコン操作の処理フローチャートである。
まず、リモコン２１、２３の図示しないコントローラは、操作部２１Ｂ、２３Ｂが操作されると、詳細設定モードに移行するための操作がなされたか否かを判別する（ステップＳ１）。具体的には、通常行われないような操作ボタンの同時押しなどにより詳細設定モードに移行するための操作とする。
【００２２】
ステップＳ１の判別において、詳細設定モードに移行するための操作がなされなかった場合には（ステップＳ１；Ｎｏ）、リモコン２１、２３の図示しないコントローラは、通常の操作であるとして対応する処理を行って入力待ち状態となる（ステップＳ７）。
ステップＳ１の判別において、詳細設定モードに移行するための操作がなされた場合には（ステップＳ１；Ｙｅｓ）、リモコン２１、２３の図示しないコントローラは、詳細設定モードに移行し、項目コード（＝Ｘ１〜Ｘ３）の入力待ち状態となる（ステップＳ２）。
ステップＳ２において、項目コードが入力されると、リモコン２１、２３の図示しないコントローラは、表示部２１Ａ、２３Ａの可変情報表示部３４に項目コードを表示し、設定データ（＝０〜２）の入力待ち状態となる（ステップＳ３）。
【００２３】
ステップＳ３において、設定データが入力されると、リモコン２１、２３の図示しないコントローラは、表示部２１Ａ、２３Ａのデータ表示部３１に設定データを表示し、入力された項目コード及び設定データに対して、入力確定／再入力のいずれが指示されたかを判別する（ステップＳ４）。
ステップＳ４の判別において、再入力が指示された場合には（ステップＳ４；再入力）、リモコン２１、２３の図示しないコントローラは、処理を再びステップＳ２に処理を移行する。
【００２４】
ステップＳ４の判別において、入力確定が指示された場合には（ステップＳ４；入力確定）、リモコン２１、２３の図示しないコントローラは、入力された項目コード及び設定データを対応する室内機に送信する（ステップＳ５）。
次に、リモコン２１、２３の図示しないコントローラは、設定終了操作がなされたか否かを判別する（ステップＳ６）。
ステップＳ６の判別において、設定終了操作がなされなかった場合には（ステップＳ６；Ｎｏ）、リモコン２１、２３の図示しないコントローラは、処理を再びステップＳ２に移行し、次の項目コード及び設定データの入力に移行することとなる。
ステップＳ６の判別において設定終了操作がなされた場合には、リモコン２１、２３の図示しないコントローラは、処理を再びステップＳ１に移行し、以下同様の処理を行うこととなる。
【００２５】
次に具体的な動作例を説明する。
項目コード＝Ｘ１において、設定コード＝０として設定した場合には、省エネ操作が禁止される。
従って、ユーザがリモコン２１、２３の省エネボタン４１の操作を行った場合には、図４に示すように、表示部２１Ａ、２３Ａの可変情報表示部３４に「この操作はできません」という旨の表示（図中、符号ＭＳＧ１で示す。）がなされ、省エネルギー運転モードへの移行あるいは省エネルギー運転モードから通常運転モードへの移行が行えない旨をユーザに通知することとなる。
【００２６】
また、項目コード＝Ｘ１において、設定コード＝１として設定した場合には、省エネ操作が許可される。従って、図２に示したように通常運転モードで動作している状態で、ユーザがリモコン２１、２３の省エネボタン４１の操作を行った場合には、図５に示すように、表示部２１Ａ、２３Ａの可変情報表示部３４に「省エネ」という旨の表示（図中、符号ＭＳＧ２で示す。）がなされて、運転モードを通常運転モードから省エネルギー運転モードへ移行することとなる。
また、項目コード＝Ｘ１において、設定コード＝１として設定した場合には、省エネ操作が許可される。この状態で、項目コード＝Ｘ３において、設定コード＝０として設定した場合には、省エネ表示が禁止される。
【００２７】
従って、図２に示したように通常運転モードで動作している状態で、ユーザがリモコン２１、２３の省エネボタン４１の操作を行った場合でも、図２に示すように、表示部２１Ａ、２３Ａの可変情報表示部３４に「省エネ」という旨の表示はなされずに、運転モードを通常運転モードから省エネルギー運転モードへ移行することとなる。
【００２８】
項目コード＝Ｘ２において、設定コード＝１として設定した場合には、運転モードは、省エネルギー運転モードに固定される。
従って、ユーザがリモコン２１、２３の省エネボタン４１の操作を行って運転モードを通常運転モードから省エネルギー運転モードへ移行させようとした場合でも、図４に示したように、表示部２１Ａ、２３Ａの可変情報表示部３４に「この操作はできません」という旨の表示（図中、符号ＭＳＧ１で示す。）がなされ、当該操作が行えない旨をユーザに通知することとなる。
【００２９】
以上の説明のように本実施形態によれば、運転モードの変更権限があるユーザに対しては、省エネルギー運転モードへの移行、省エネルギーモードの解除の操作を容易に行わせることができるともに、運転モードの変更権限を有しないユーザに対しては操作を確実に禁止することが可能となる。
また、ユーザが変更するばかりでなく、設備の設置者が強制的に省エネルギー運転モードへの移行、省エネルギーモードの解除の操作を禁止したり、一方の運転モードを固定するように設定することも可能となる。
【図面の簡単な説明】
【００３０】
【図１】実施形態の空気調和システムの系統図である。
【図２】リモコンの外観正面図を示す。
【図３】実施形態の処理フローチャートである。
【図４】実施形態の動作説明図（その１）である。
【図５】実施形態の動作説明図（その２）である。
【符号の説明】
【００３１】
１０  空気調和システム
１５  コントローラ（集中管理装置）
１６Ａ、１６Ｂ  室外機
１７、１８、１９  室内機（運転モード移行制御部、運転モード固定制御部、表示禁止部）
２１、２３  リモートコントローラ
２２、２４  通信線
４１  省エネボタン（動作モード変更操作子）
【図１】
2006125691.tif 000003
【図２】
2006125691.tif 000004
【図３】
2006125691.tif 000005
【図４】
2006125691.tif 000006
【図５】
2006125691.tif 000007